(57)【要約】【課題】熱応力による加熱ヒータの劣化を抑制することができる加熱装置を提供すること。【解決手段】加熱装置６０は、水道配管４から供給された水が流れる流通路６０ａを内部に有するケーシング６１，６３と、ケーシング６１，６３内に配置されるとともに、周側壁６２ｂ１の内側を流通路６０ａの一部とする筒状に設けられ、水が流通路６０ａを流れている時に水を加熱する加熱ヒータ６２と、加熱ヒータ６２の周側壁６２ｂ１の内側に配置され、加熱ヒータ６２の軸線方向に沿って延びる柱状の柱状部６４ｂと、を備えている。【選択図】  図３
2018004173.tif 000002
【特許請求の範囲】
【請求項１】
給水源から供給された水が流れる流通路を内部に有するケーシングと、
前記ケーシング内に配置されるとともに、周側壁の内側を前記流通路の一部とする筒状に設けられ、前記水が前記流通路を流れている時に前記水を加熱する加熱ヒータと、
前記加熱ヒータの前記周側壁の内側に配置され、前記加熱ヒータの軸線方向に沿って延びる柱状の柱状部と、を備えている加熱装置。
【請求項２】
前記流通路は、前記ケーシングの外部から前記水を導入する導入路をさらに備え、
前記加熱ヒータの前記周側壁の内側における前記周側壁と前記柱状部との間の前記流通路であるヒータ内流通路の流路断面積は、前記導入路の流路断面積以下の流路断面積となるように設定され、
前記流通路における前記導入路と前記ヒータ内流通路との間の部位の流路断面積は、前記導入路の流路断面積以上の流路断面積となるように設定されている請求項１に記載の加熱装置。
【請求項３】
前記加熱ヒータの発熱部は、前記周側壁の一部に設けられ、
前記柱状部は、前記加熱ヒータの前記周側壁における前記発熱部が設けられた部位の内側に少なくとも配置されている請求項１または請求項２に記載の加熱装置。
【請求項４】
前記柱状部は、外周面から径方向外側に突出しかつ前記軸線方向に沿って螺旋状に延びる凸部を備えている請求項１乃至請求項３の何れか一項に記載の加熱装置。
【請求項５】
請求項１乃至請求項４の何れか一項に記載の加熱装置と、
前記加熱装置によって加熱された前記水を洗浄水として噴出して、人体の局部を洗浄する洗浄ノズルと、を備えている局部洗浄装置。
【発明の詳細な説明】
【技術分野】
【０００１】
本発明は、加熱装置およびこれを備える局部洗浄装置に関する。
【背景技術】
【０００２】
加熱装置（熱交換ユニット）の一形態として、特許文献１に示されているものが知られている。特許文献１の加熱装置１は、人体の局部を洗浄する局部洗浄装置において洗浄水を加熱するものである。加熱装置１は、内側に流体（水）が流通する流通空間１１が形成された本体部１０、および、流通空間１１内に配置されたヒータ２０を備えている。ヒータ２０は、円筒状に形成され、内側に水が流通する。また、ヒータ２０の内側には、接続部２２から水が導入される。
【先行技術文献】
【特許文献】
【０００３】
【特許文献１】特開２０１５−４５４２０号公報
【発明の概要】
【発明が解決しようとする課題】
【０００４】
しかしながら、特許文献１の加熱装置１においては、ヒータ２０の内側に接続部２２が配置されているため、ヒータ２０の内側の流路断面積は、接続部２２に形成された流路の流路断面積より大きい。この場合、水が流通空間１１を流れているときに、ヒータ２０（加熱ヒータ）の内側に空気溜りが発生するときがある。加熱ヒータの内側に空気溜りがある状態において加熱ヒータがオンされた場合、空気溜りによって加熱ヒータと水との熱交換が妨げられることにより、加熱ヒータの温度が上昇する。この場合、加熱ヒータが熱応力によって早期に劣化することが考えられる。
【０００５】
本発明は、上述した問題を解消するためになされたもので、熱応力による加熱ヒータの劣化を抑制することができる加熱装置を提供することを目的とする。
【０００６】
上記の課題を解決するため、請求項１に係る加熱装置は、給水源から供給された水が流れる流通路を内部に有するケーシングと、ケーシング内に配置されるとともに、周側壁の内側を流通路の一部とする筒状に設けられ、水が流通路を流れている時に水を加熱する加熱ヒータと、加熱ヒータの周側壁の内側に配置され、加熱ヒータの軸線方向に沿って延びる柱状の柱状部と、を備えている。
【発明の効果】
【０００７】
これによれば、柱状部が加熱ヒータの周側壁の内側に加熱ヒータの軸線方向に沿って延びるように形成されているため、柱状部が無い場合に比べて、加熱ヒータの周側壁の内側の流路断面積が小さくなる。よって、加熱ヒータの周側壁の内側に水が流れている時において、加熱ヒータの内側における空気溜りの発生が抑制される。このため、流通路を流れる水が加熱ヒータによって加熱されている場合においても、空気溜りによって加熱ヒータと水との熱交換が妨げられることによる加熱ヒータの温度の上昇が抑制される。したがって、熱応力による加熱ヒータの劣化を抑制することができる。
【図面の簡単な説明】
【０００８】
【図１】本発明による一実施形態に係る加熱装置が組み込まれた局部洗浄装置を示す斜視図である。
【図２】図１に示す局部洗浄装置の模式図である。
【図３】図２に示す加熱装置の軸方向断面図である。
【図４】図３に示す柱状部の斜視図である。
【図５】本発明による一実施形態の変形例に係る加熱装置の柱状部を示す斜視図である。
【発明を実施するための形態】
【０００９】
以下、本発明による加熱装置の一実施形態について説明する。加熱装置１（６０）は、局部洗浄装置２に組み込まれている。局部洗浄装置２は、人体の局部を洗浄するものである。局部洗浄装置２は、図１に示すように、腰掛式便器３に取り付けられている。腰掛式便器３は、便鉢部３ａを有している。
【００１０】
局部洗浄装置２は、洗浄装置本体部１０、便座２０、便座２０を覆う便蓋３０を備えている。洗浄装置本体部１０は、図１および図２に示すように、本体ケーシング１０ａ、洗浄機能部４０および局部洗浄装置２を統括制御する制御装置５０を備えている。
【００１１】
本体ケーシング１０ａは、中空の箱状に形成されている。本体ケーシング１０ａは、便座２０および便蓋３０を回動可能に保持する。本体ケーシング１０ａは、洗浄機能部４０および制御装置５０を収納する。
【００１２】
洗浄機能部４０は、洗浄水を噴出することにより人体の局部の洗浄を行うものである。洗浄機能部４０は、水道配管４（本発明の給水源に相当；図２参照）からの水（上水）を洗浄水として人体の局部に向けて噴出する。洗浄機能部４０は、図２に示すように、給水装置４１、流量検出装置４２、加熱装置１（６０）、ポンプ４３およびノズル装置４４を備えている。
【００１３】
また、洗浄機能部４０は、洗浄水が流れる４つの接続水路Ｌ１〜Ｌ４を備えている。各接続水路Ｌ１〜Ｌ４は、管状のホースである。第一の接続水路Ｌ１は、給水装置４１と流量検出装置４２とを接続する。第二の接続水路Ｌ２は、流量検出装置４２と加熱装置１とを接続する。第三の接続水路Ｌ３は、加熱装置１とポンプ４３とを接続する。第四の接続水路Ｌ４は、ポンプ４３とノズル装置４４とを接続する。
【００１４】
洗浄水は、給水装置４１、第一の接続水路Ｌ１、流量検出装置４２、第二の接続水路Ｌ２、加熱装置１、第三の接続水路Ｌ３、ポンプ４３、第四の接続水路Ｌ４およびノズル装置４４の順に流れる。
【００１５】
給水装置４１は、水道配管４に取り付けられた分岐水栓４ａに、洗浄水が流れる給水ホースＨを介して接続されている。分岐水栓４ａは、水道配管４を流れる水を洗浄水として給水ホースＨに導出する。
【００１６】
給水装置４１は、水道配管４からの洗浄水を洗浄機能部４０に導入するものである。給水装置４１は、具体的には、給水ホースＨからの洗浄水を第一の接続水路Ｌ１に導出する。給水装置４１には、給水ホースＨから第一の接続水路Ｌ１に向けて、ストレーナ４１ａ、逆止弁４１ｂ、定流量弁４１ｃ、止水電磁弁４１ｄおよびリリーフ弁４１ｅがこの順に設けられている。
【００１７】
ストレーナ４１ａは、洗浄水に含まれるゴミ等を除去するものである。逆止弁４１ｂは、給水ホースＨから第一の接続水路Ｌ１への洗浄水の流れを許容するが、逆方向の流れを規制するものである。定流量弁４１ｃは、給水ホースＨからの洗浄水の流量（単位時間あたりの流量）をおよそ一定に調整するものである。
【００１８】
止水電磁弁４１ｄは、開状態である場合に洗浄水の流れを許容し、閉状態である場合に洗浄水の流れを規制する電磁弁である。また、止水電磁弁４１ｄは、通電されている場合に開状態となり、非通電である場合に閉状態となるノーマルクローズ型の電磁弁である。
【００１９】
リリーフ弁４１ｅは、定流量弁４１ｃによって流量が調整された洗浄水のうちポンプ４３によって吸引されない洗浄水を洗浄機能部４０から外部（便鉢部３ａ内）へ放出するものである。
【００２０】
流量検出装置４２は、洗浄水の流量（単位時間あたりの流量）を検出するものである。流量検出装置４２は、第一温度センサ４２ａおよび流量センサ４２ｂが設けられている。
第一温度センサ４２ａは、流量検出装置４２を流れる洗浄水の温度（特に第一温度センサ４２ａの設置場所の温度）を検出するものである。第一温度センサ４２ａによって検出された洗浄水の温度は、検出信号として制御装置５０に送信される。
【００２１】
流量センサ４２ｂは、洗浄水の流量（特に流量センサ４２ｂの設置場所の流量（単位時間あたりの流量））を検出するものである。流量センサ４２ｂは、例えば羽根車式の流量センサである。流量センサ４２ｂによって検出された洗浄水の流量は、検出信号として制御装置５０に送信される。
【００２２】
加熱装置１は、洗浄水の温度を所定温度とするように洗浄水を加熱するものである。所定温度は、人体の局部を洗浄する洗浄水の温度（例えば３９℃）である。加熱装置１の詳細は、後述する。
【００２３】
ポンプ４３は、水路容積を変化させることにより、洗浄水を脈動させるものである。ポンプ４３は、往復運動するピストン（図示なし）を含んで構成された容積式往復動ポンプ（例えばダイヤフラムポンプ）である。ポンプ４３によって、ノズル装置４４から噴出する洗浄水が脈動することにより、洗浄水の流量が比較的少ない場合においても、洗浄水が脈動しない場合に比べて、人体の局部を洗浄する水勢を強くすることができる。
【００２４】
ノズル装置４４は、第四の接続水路Ｌ４からの洗浄水を人体の局部に向けて噴出するものである。ノズル装置４４は、流路切替弁４４ａ、第五の接続水路Ｌ５、第六の接続水路Ｌ６、排水路Ｄ、おしりノズル４４ｂおよびビデノズル４４ｃを備えている。おしりノズル４４ｂおよびビデノズル４４ｃは、本発明の洗浄ノズルに相当する。
【００２５】
各接続水路Ｌ５，Ｌ６および排水路Ｄは、洗浄水が流れる水路であり、例えばシリコンゴムによって形成された屈曲性を有する管状のホースである。第五の接続水路Ｌ５は、流路切替弁４４ａとおしりノズル４４ｂとを接続する。第六の接続水路Ｌ６は、流路切替弁４４ａとビデノズル４４ｃとを接続する。排水路Ｄは、流路切替弁４４ａから便鉢部３ａに洗浄水を排出する。
【００２６】
流路切替弁４４ａは、制御装置５０からの制御信号にしたがって、第四の接続水路Ｌ４からの洗浄水を、第五の接続水路Ｌ５、第六の接続水路Ｌ６および排水路Ｄのうちの一つに選択的に切り替えて導出するものである。流路切替弁４４ａは、例えば四方弁である。また、流路切替弁４４ａは、制御装置５０からの制御信号にしたがって、洗浄水が流れる水路の流路断面積を可変させることにより、洗浄水の流量を調整可能に設けられている。
【００２７】
おしりノズル４４ｂは、おしり洗浄を行うものである。おしりノズル４４ｂは、第五の接続水路Ｌ５からの洗浄水を人体の局部に向けて噴出する。
ビデノズル４４ｃは、ビデ洗浄を行うものである。ビデノズル４４ｃは、第六の接続水路Ｌ６からの洗浄水を人体の局部に向けて噴出する。
【００２８】
また、洗浄機能部４０は、バキュームブレーカ装置４５を備えている。バキュームブレーカ装置４５は、第二の接続水路Ｌ２に配置されている。バキュームブレーカ装置４５は、真空破壊弁である。バキュームブレーカ装置４５は、第二の接続水路Ｌ２に洗浄水が流れていない場合に第二の接続水路Ｌ２と大気とを連通する連通状態と、第二の接続水路Ｌ２に洗浄水が流れている場合に第二の接続水路Ｌ２と大気とを遮断する遮断状態とを有している。
【００２９】
次に、加熱装置１（６０）の詳細について説明する。加熱装置６０は、図３に示すように、第一ケーシング６１、加熱ヒータ６２、第二ケーシング６３、柱状部材６４および第二温度センサ６５を備えている。第一ケーシング６１および第二ケーシング６３は、本発明のケーシングに相当する。なお、本明細書においては説明の便宜上、図３における上側および下側をそれぞれ加熱装置６０の上方および下方とし、同じく左側および右側をそれぞれ加熱装置６０の左方および右方として説明する。
【００３０】
第一ケーシング６１は、第一本体部６１ａおよび第一接続部６１ｂを備えている。第一本体部６１ａおよび第一接続部６１ｂは、熱可塑性樹脂材料によって一体に形成されている。
【００３１】
第一本体部６１ａは、両端を開口し、左右方向に延びる筒状に形成されている。第一接続部６１ｂは、第一本体部６１ａの周側壁６１ａ１に上下方向に延びる管状に設けられている。第一接続部６１ｂは、上端が第三の接続水路Ｌ３に接続され、かつ、下端が第一本体部６１ａの周側壁６１ａ１の内側に開口する。
【００３２】
加熱ヒータ６２は、第一ケーシング６１内に配置され、洗浄水を加熱するものである。加熱ヒータ６２は、セラミックヒータである。加熱ヒータ６２は、アルミナや窒化珪素等のセラミックスと後述する発熱体６２ｂ３とが、発熱体６２ｂ３を内蔵するように同時に焼結されることにより形成される。加熱ヒータ６２は、蓋部６２ａおよびヒータ部６２ｂを備えている。
【００３３】
蓋部６２ａは、第一本体部６１ａの右側の開口部を覆うものである。蓋部６２ａは、第一本体部６１ａの右端にネジ等によって取り付けられている。また、蓋部６２ａは、蓋部６２ａと第一本体部６１ａとの間に配置されたＯリングＲ１によって液密に第一本体部６１ａに取り付けられている。
【００３４】
ヒータ部６２ｂは、周側壁６２ｂ１（本発明の周側壁に相当）を有する円筒状に形成されている。ヒータ部６２ｂは、蓋部６２ａを貫通するとともに、第一本体部６１ａの周側壁６１ａ１の内側に、かつ、第一本体部６１ａと同軸に配置されている。また、ヒータ部６２ｂの発熱部６２ｂ２は、周側壁６２ｂ１の一部に設けられている。発熱部６２ｂ２は、ヒータ部６２ｂにおける蓋部６２ａの左側に設けられている。発熱部６２ｂ２は、周側壁６２ｂ１の内部に発熱体６２ｂ３が配置されている。発熱体６２ｂ３は、電力が供給されることにより発熱するものである。
【００３５】
第二ケーシング６３は、第二本体部６３ａ、第二接続部６３ｂおよび取付部６３ｃを備えている。第二本体部６３ａ、第二接続部６３ｂおよび取付部６３ｃは、熱可塑性樹脂材料によって一体に形成されている。
【００３６】
第二本体部６３ａは、左端を開口し、左右方向に延びる筒状に形成されている。第二本体部６３ａは、加熱ヒータ６２の蓋部６２ａの右側にて、加熱ヒータ６２の周側壁６２ｂ１の径方向外側に配置されている。
【００３７】
第二接続部６３ｂは、第二本体部６３ａの右側壁を貫通する管状に設けられている。第二接続部６３ｂは、上方から下方に延びてから左方に向かって折れ曲がるＬ字状に形成されている。第二接続部６３ｂは、上端が第二の接続水路Ｌ２に接続し、かつ、下端がヒータ部６２ｂの周側壁６２ｂ１の内側に向けて開口する。また、第二接続部６３ｂの内径は、ヒータ部６２ｂの周側壁６２ｂ１の内径より小さく形成されている。本実施形態においては、第二接続部６３ｂの下端部が、ヒータ部６２ｂの周側壁６２ｂ１の内側に位置する。第二接続部６３ｂの内径は、第二接続部６３ｂの全長に亘って一定となるように形成されている。
【００３８】
取付部６３ｃは、第二本体部６３ａの左端部に鍔状に形成されている。取付部６３ｃが、加熱ヒータ６２の蓋部６２ａの右側面に配置されている。取付部６３ｃは、加熱ヒータ６２の蓋部６２ａとともに第一本体部６１ａにネジ等によって取り付けられる。また、第二ケーシング６３は、第二本体部６３ａの右側壁とヒータ部６２ｂの周側壁６２ｂ１の右端面との間に配置されたシール部材Ｓによって液密に第一本体部６１ａに取り付けられる。
【００３９】
柱状部材６４は、図３および図４に示すように、蓋部６４ａおよび柱状部６４ｂを備えている。蓋部６４ａおよび柱状部６４ｂは熱可塑性樹脂材料によって一体に形成されている。
蓋部６４ａは、第一本体部６１ａの左側の開口部を覆うものである。蓋部６４ａは、第一本体部６１ａの左端にネジ等によって取り付けられている。また、蓋部６４ａは、蓋部６４ａと第一本体部６１ａとの間に配置されたＯリングＲ２によって液密に第一本体部６１ａに取り付けられている。
【００４０】
柱状部６４ｂは、ヒータ部６２ｂの周側壁６２ｂ１の内側に配置され、ヒータ部６２ｂの軸線方向に沿って延びる円柱状に形成されている。柱状部６４ｂは、加熱ヒータ６２のヒータ部６２ｂの周側壁６２ｂ１における発熱部６２ｂ２が設けられた部位の内側に少なくとも配置されている。柱状部６４ｂは、左右方向において発熱部６２ｂ２より長くなるように設定され、蓋部６４ａから加熱ヒータ６２の蓋部６２ａより右側の位置に亘って設けられている。
【００４１】
また、柱状部６４ｂは、凸部６４ｃが設けられている。凸部６４ｃは、柱状部６４ｂの外周面６４ｂ１から径方向外側に突出し、かつ、軸線方向に沿って螺旋状に延びるように形成されている。凸部６４ｃは、ヒータ部６２ｂの周側壁６２ｂ１の内周面と接触しないように形成されている。
【００４２】
第二温度センサ６５は、洗浄水の温度（特に第二温度センサ６５の設置場所の温度）を検出するものである。第二温度センサ６５は、第一接続部６１ｂの内側に配置されている。第二温度センサ６５によって検出された洗浄水の温度は、検出信号として制御装置５０に送信される。
【００４３】
次に、加熱装置６０における洗浄水の流れについて説明する。洗浄水は、流通路６０ａを流れる。流通路６０ａは、第二接続部６３ｂ、ヒータ部６２ｂ、柱状部材６４、第一本体部６１ａおよび第一接続部６１ｂによって構成される。なお、洗浄水の流れは、図３の破線の矢印にて示されている。第二接続部６３ｂは、流通路６０ａにおいてケーシング６１，６３の外部から洗浄水を導入するため、本発明の導入路に相当する。
【００４４】
第二の接続水路Ｌ２からの洗浄水は、第二接続部６３ｂの上端から第二接続部６３ｂ内に流入して、第二接続部６３ｂの下端からヒータ部６２ｂの周側壁６２ｂ１の内側に流出する。洗浄水は、ヒータ部６２ｂの周側壁６２ｂ１の内周面と柱状部６４ｂの外周面６４ｂ１との間を右方から左方に向かって流れる。この時、洗浄水は、凸部６４ｃによって方向付けされるため、柱状部６４ｂの軸線方向に沿って螺旋状に流れる。さらに、洗浄水は、ヒータ部６２ｂの左端から第一本体部６１ａの周側壁６１ａ１の内側に流出する。
【００４５】
続けて、洗浄水は、蓋部６４ａの右端面にて流れの方向を折り返して、ヒータ部６２ｂの周側壁６２ｂ１の外周面と第一本体部６１ａの周側壁６１ａ１の内周面との間を、左方から右方に向かって流れる。そして、洗浄水は、第一接続部６１ｂの下端から第一接続部６１ｂに流入して、第一接続部６１ｂの上端から第三の接続水路Ｌ３に流出する。
【００４６】
なお、上述したように、第二接続部６３ｂの内径は、ヒータ部６２ｂの周側壁６２ｂ１の内径より小さく形成されているため、ヒータ部６２ｂの周側壁６２ｂ１の内側の流路断面積（柱状部６４ｂが無い場合の流路断面積）は、第二接続部６３ｂの流路断面積よりより大きい。
【００４７】
これに対して、ヒータ部６２ｂの周側壁６２ｂ１の内側に柱状部６４ｂが配置されることにより、柱状部６４ｂが無い場合における周側壁６２ｂ１の内側の流路断面積と比べて、周側壁６２ｂ１の内側における周側壁６２ｂ１と柱状部６４ｂとの間の流通路６０ａであるヒータ内流通路６０ｂの流路断面積が小さくなる。ヒータ内流通路６０ｂは、具体的には、ヒータ部６２ｂの周側壁６２ｂ１の内周面と柱状部６４ｂの外周面６４ｂ１との間に形成される流通路６０ａである。ヒータ内流通路６０ｂの流路断面積は、第二接続部６３ｂの流路断面積以下の流路断面積となるように設定されている。本実施形態においては、ヒータ内流通路６０ｂの流路断面積は、第二接続部６３ｂの流路断面積と同じ流路断面積となるように設定されている。
【００４８】
また、流通路６０ａにおける第二接続部６３ｂとヒータ内流通路６０ｂとの間の部位の流路断面積は、第二接続部６３ｂの流路断面積以上の流路断面積となるように設定されている。流通路６０ａのこの部位は、具体的には、周側壁６２ｂ１の内側における柱状部６４ｂが無い部位である。流通路６０ａのこの部位の流路断面積は、上述したように第二接続部６３ｂの流路断面積より大きい。
【００４９】
さらに、ヒータ内流通路６０ｂより下流側の流通路６０ａであって、ヒータ部６２ｂの外側に洗浄水が流れる流通路６０ａであるヒータ外流通路６０ｃの流路断面積は、ヒータ内流通路６０ｂの流路断面積以下の流路断面積となるように設定されている。本実施形態においては、ヒータ外流通路６０ｃの流路断面積は、ヒータ内流通路６０ｂの流路断面積と同じ流路断面積となるように設定されている。ヒータ外流通路６０ｃは、具体的には、ヒータ部６２ｂの周側壁６２ｂ１の外周面と第一本体部６１ａの周側壁６１ａ１の内周面との間の流通路６０ａである。なお、本実施形態においては、流通路６０ａにおけるヒータ内流通路６０ｂとヒータ外流通路６０ｃとの間の流路断面積についても、ヒータ内流通路６０ｂと同じ流路断面積となるように設定されている。
【００５０】
また、上述したように、洗浄水が流通路６０ａを流れている時に、加熱ヒータ６２は、洗浄水を直接加熱して、水道配管４からの洗浄水の温度を所定温度にする。すなわち、本実施形態における加熱装置６０の洗浄水の加熱方式は、瞬間式である。加熱ヒータ６２は、発熱部６２ｂ２が発熱するため、洗浄水は、ヒータ部６２ｂの周側壁６２ｂ１における発熱部６２ｂ２が設けられた部位の内側の流通路６０ａ（ヒータ内流通路６０ｂ）および外側の流通路６０ａ（ヒータ外流通路６０ｃ）を流れるときに加熱される。
【００５１】
そして、第二温度センサ６５は、流通路６０ａにおいてヒータ内流通路６０ｂおよびヒータ外流通路６０ｃより下流側に配置されているため、加熱ヒータ６２によって加熱された洗浄水の温度を検出する。第二温度センサ６５の検出温度が所定温度となるように、加熱ヒータ６２がフィードバック制御される。なお、加熱ヒータ６２はＰＷＭ制御されているため、加熱ヒータ６２への制御指令値は、デューティ比にて出力される。
【００５２】
このように、第一ケーシング６１および第二ケーシング６３は、水道配管４から供給された水が流れる流通路６０ａを内部に有するものである。また、加熱ヒータ６２は、ケーシング６１，６３に配置されるとともに、周側壁６２ｂ１の内側を流通路６０ａの一部とする筒状に設けられ、水が流通路６０ａを流れている時に水を加熱するものである。
【００５３】
次に、上述した局部洗浄装置２の動作について説明する。局部洗浄装置２の待機状態（おしり洗浄およびビデ洗浄が行われていない状態）においては、制御装置５０は、止水電磁弁４１ｄを非通電状態とするため、止水電磁弁４１ｄが閉状態である。また、局部洗浄装置２の待機状態において、制御装置５０は、加熱ヒータ６２をオフするとともに、流路切替弁４４ａを第四の接続水路Ｌ４と排水路Ｄとを接続するように制御する。
【００５４】
局部洗浄装置２が待機状態である場合に、おしり洗浄を行うためのスイッチ（図示なし）がオンされたとき、制御装置５０は、おしり洗浄を行う。制御装置５０は、具体的には、止水電磁弁４１ｄを開状態にするとともに、ポンプ４３を駆動させる。
【００５５】
これにより、洗浄水が給水装置４１からノズル装置４４に向けて流れる。このとき、流量センサ４２ｂによって検出された洗浄水の流量が所定流量以上である場合、制御装置５０は、上述したように洗浄水の温度が所定温度となるように、加熱ヒータ６２によって洗浄水を加熱（加熱ヒータ６２をオン）する。所定流量は、加熱装置６０において、加熱ヒータ６２による空焚きが発生しない流量に設定されている。洗浄水の温度が所定温度となるまで、洗浄水が便鉢部３ａに排出される。
【００５６】
そして、第二温度センサ６５によって検出された温度が所定温度となった場合、制御装置５０は、第四の接続水路Ｌ４と第五の接続水路Ｌ５とを接続するように流路切替弁４４ａを制御する。これにより、洗浄水がおしりノズル４４ｂから噴出する。おしり洗浄が行われている間、加熱装置６０に洗浄水が流れるとともに、洗浄水が加熱ヒータ６２によって加熱される。
【００５７】
また、おしり洗浄が行われている間、例えば、水道配管４から洗浄水とともに空気が流入することによって、流通路６０ａにその空気が滞留することによる空気溜りの発生が考えられる。しかしながら、上述したように、ヒータ内流通路６０ｂの流路断面積が、第二接続部６３ｂの流路断面積と同じ流路断面積となるように設定されているため、ヒータ内流通路６０ｂに入り込んだ空気は、滞留することなく洗浄水によって流通路６０ａの下流側に排出される。よって、ヒータ内流通路６０ｂにおいて、空気溜りの発生が抑制される。
【００５８】
さらに、流通路６０ａにおけるヒータ内流通路６０ｂとヒータ外流通路６０ｃとの間の流路断面積、およびヒータ外流通路６０ｃの流路断面積が、ヒータ内流通路６０ｂの流路断面積と同じ流路断面積となるように設定されているため、ヒータ内流通路６０ｂと同様に、空気溜りの発生が抑制される。
【００５９】
なお、流通路６０ａにおいて、空気溜りの発生が考えられる場合は、上述した水道配管４から洗浄水とともに空気が流入する場合だけでなく、洗浄水が加熱されることによって洗浄水に溶け込んでいる空気が泡となって洗浄水から放出される場合が考えられる。さらに、流通路６０ａ内に洗浄水が無い状態（空気のみがある状態）にて洗浄水が流通路６０ａに流入したときに、流通路６０ａ内に空気が残った場合が考えられる。この場合は、局部洗浄装置２が腰掛式便器３に取り付けられてから最初に流通路６０ａに洗浄水を流通させるときや、流通路６０ａの水抜き後に最初に流通路６０ａに洗浄水を流通させるときである。
【００６０】
流通路６０ａの水抜きは、流路切替弁４４ａによって第四の接続水路Ｌ４と排水路Ｄとを接続し、かつ、止水電磁弁４１ｄを閉状態のままにして、ポンプ４３を駆動させることにより実行される。水抜きが実行された場合、バキュームブレーカ装置４５から第二の接続水路Ｌ２内に空気が流入するとともに、バキュームブレーカ装置４５より下流側にある洗浄水がポンプ４３によって排水路Ｄから排出される。このような水抜きが行われた後に洗浄水が流通路６０ａに供給された場合においても、流通路６０ａにおけるヒータ内流通路６０ｂからヒータ外流通路６０ｃまでの流路断面積が、第二接続部６３ｂの流路断面積と同じ流路断面積となるように設定されている。よって、上述したようにヒータ内流通路６０ｂおよびヒータ外流通路６０ｃにおける空気溜りの発生が抑制される。
【００６１】
上述したおしり洗浄が行われている場合に、おしり洗浄を停止させるスイッチ（図示なし）がオンされた場合、制御装置５０は、おしり洗浄を停止する。制御装置５０は、具体的には、止水電磁弁４１ｄを閉状態にするとともに、ポンプ４３の駆動を停止させる。さらに、制御装置５０は、加熱ヒータ６２をオフするとともに、流路切替弁４４ａを第四の接続水路Ｌ４と排水路Ｄとを接続するように制御する。これにより、局部洗浄装置２が待機状態に戻る。
【００６２】
本実施形態によれば、加熱装置６０は、水道配管４から供給された水（洗浄水）が流れる流通路６０ａを内部に有するケーシング６１，６３と、ケーシング６１，６３内に配置されるとともに、周側壁６２ｂ１の内側を流通路６０ａの一部とする筒状に設けられ、水が流通路６０ａを流れている時に水を加熱する加熱ヒータ６２と、加熱ヒータ６２の周側壁６２ｂ１の内側に配置され、加熱ヒータ６２の軸線方向に沿って延びる柱状の柱状部６４ｂと、を備えている。
【００６３】
これによれば、柱状部６４ｂが加熱ヒータ６２の周側壁６２ｂ１の内側に加熱ヒータ６２の軸線方向に沿って延びるように形成されているため、柱状部６４ｂが無い場合に比べて、加熱ヒータ６２の周側壁６２ｂ１の内側の流路断面積が小さくなる。よって、加熱ヒータ６２の周側壁６２ｂ１の内側に水が流れている時において、加熱ヒータ６２の内側における空気溜りの発生が抑制される。このため、流通路６０ａを流れる水が加熱ヒータ６２によって加熱されている場合においても、空気溜りによって加熱ヒータ６２と水との熱交換が妨げられることによる加熱ヒータ６２の温度の上昇が抑制される。したがって、熱応力による加熱ヒータ６２の劣化を抑制することができる。
【００６４】
また、流通路６０ａは、ケーシング６１，６３の外部から水（洗浄水）を導入する第二接続部６３ｂをさらに備えている。加熱ヒータ６２の周側壁６２ｂ１の内側における周側壁６２ｂ１と柱状部６４ｂとの間の流通路６０ａであるヒータ内流通路６０ｂの流路断面積は、第二接続部６３ｂの流路断面積以下の流路断面積となるように設定されている。流通路６０ａにおける第二接続部６３ｂとヒータ内流通路６０ｂとの間の部位の流路断面積は、第二接続部６３ｂの流路断面積以上の流路断面積となるように設定されている。
【００６５】
これによれば、第二接続部６３ｂからヒータ内流通路６０ｂに入り込んだ空気は、ヒータ内流通路６０ｂにて滞留することなく洗浄水によって流通路６０ａの下流側に排出される。よって、ヒータ内流通路６０ｂにおいて空気溜りの発生が抑制される。
【００６６】
また、ヒータ外流通路６０ｃの流路断面積についても、ヒータ内流通路６０ｂの流路断面積と同じ流路断面積となるように設定されていることにより、ヒータ外流通路６０ｃにおける空気溜りの発生が抑制される。よって、熱応力による加熱ヒータ６２の劣化が抑制される。
【００６７】
また、加熱ヒータ６２の発熱部６２ｂ２は、周側壁６２ｂ１に設けられている。柱状部６４ｂは、加熱ヒータ６２の周側壁６２ｂ１における発熱部６２ｂ２が設けられた部位の内側に少なくとも配置されている。
これによれば、柱状部６４ｂは、加熱ヒータ６２の周側壁６２ｂ１における発熱部６２ｂ２が設けられた部位の内側における流路断面積を小さくする。よって、周側壁６２ｂ１における発熱部６２ｂ２が設けられた部位の内側における空気溜りの発生が抑制される。したがって、熱応力による加熱ヒータ６２の劣化を確実に抑制することができる。
【００６８】
また、柱状部６４ｂは、外周面６４ｂ１から径方向外側に突出しかつ軸線方向に沿って螺旋状に延びる凸部６４ｃを備えている。
これによれば、水がヒータ内流通路６０ｂを軸線方向に沿って螺旋状に流れるため、水が直線状に流れる場合に比べて、水がヒータ内流通路６０ｂにて攪拌される。よって、ヒータ内流通路６０ｂにおける空気溜りの発生がさらに抑制される。
【００６９】
また、局部洗浄装置２は、加熱装置６０と、加熱装置６０によって加熱された水を洗浄水として噴出して、人体の局部を洗浄するおしりノズル４４ｂおよびビデノズル４４ｃと、を備えている。
これによれば、局部洗浄装置２は、上述した加熱装置６０が有する効果と同様の効果を有する。
【００７０】
なお、上述した実施形態において、加熱装置の一例を示したが、本発明はこれに限定されず、他の構成を採用することもできる。例えば、上述した実施形態において、第一接続部６１ｂに第三の接続水路Ｌ３が接続し、かつ、第二接続部６３ｂに第二の接続水路Ｌ２が接続しているが、これに代えて、第一接続部６１ｂに第二の接続水路Ｌ２を接続し、かつ、第二接続部６３ｂに第三の接続水路Ｌ３を接続するようにしても良い。この場合、流通路６０ａを流れる水の方向が、上述した実施形態の方向と逆になる。すなわち、ヒータ内流通路６０ｂにおいては、水が左方から右方に向かって流れる。また、この場合、第二温度センサ６５を第二接続部６３ｂに配置する。なお、この場合、第一接続部６１ｂが本発明の導入路に相当する。
【００７１】
また、上述した実施形態において、柱状部材６４は、凸部６４ｃが設けられているが、これに代えて、図５に示すように、柱状部材１６４に凸部６４ｃを設けないようにしても良い。
また、上述した実施形態において、柱状部材６４と第一ケーシング６１とが別体に設けられているが、これに代えて、柱状部材６４と第一ケーシング６１とを一体に設けるようにしても良い。
【００７２】
また、上述した実施形態において、加熱装置６０は、局部洗浄装置２に組み込まれているが、これに代えて、加熱装置６０を湯沸かし器や循環温浴器に組み込むようにしても良い。
なお、本発明の要旨を逸脱しない範囲において、第一ケーシング６１、第二ケーシング６３、柱状部材６４の形状や、流通路６０ａの流路断面積を変更するようにしても良い。
【符号の説明】
【００７３】
１（６０）…加熱装置、２…局部洗浄装置、４…水道配管（給水源）、１０…洗浄装置本体部、２０…便座、３０…便蓋、４０…洗浄機能部、４１…給水装置、４４…ノズル装置、５０…制御装置、６０ａ…流通路、６０ｂ…ヒータ内流通路、６０ｃ…ヒータ外流通路、６１…第一ケーシング（ケーシング）、６１ｂ…第一接続部、６２…加熱ヒータ、６２ａ…蓋部、６２ｂ…ヒータ部、６２ｂ１…周側壁、６２ｂ２…発熱部、６２ｂ３…発熱体、６３…第二ケーシング（ケーシング）、６３ｂ…第二接続部（導入路）、６４…柱状部材、６４ａ…蓋部、６４ｂ…柱状部、６４ｂ１…外周面、６４ｃ…凸部、６５…第二温度センサ。
【図１】
2018004173.tif 000003
【図２】
2018004173.tif 000004
【図３】
2018004173.tif 000005
【図４】
2018004173.tif 000006
【図５】
2018004173.tif 000007